【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】
ドキュメントをスキャニング装置によってスキャニングし、その画像ファイルを、受信者毎に予め設定されたプロファイルにアクセスする自動送信ユーティリティを使用することにより、指定された受信者に送信する、コンピュータ装置が実行する画像ファイルの送信方法であって、
前記予め設定されたプロファイルが、前記受信者に前記画像ファイルを送信するための転送プロトコルと前記スキャニングのための画像スキャニング特性とを含み、
前記自動送信ユーティリティを起動する工程と、
前記自動送信ユーティリティによる前記画像ファイルの送信先である前記受信者を特定するユーザ入力、を受け取る工程と、
特定された前記受信者に対応した前記プロフィルに基づいて、画像データの画像スキャニング特性と転送プロトコルとを決定する工程と、
決定された前記画像スキャニング特性に従って、ドキュメントをスキャニング装置によってスキャニングする工程と、
前記スキャニングしたドキュメントの画像データを含む画像ファイルを格納するステップと、
決定された前記転送プロトコルを使用して、前記受信者に前記格納された画像ファイルを送信する工程と、
を含む画像ファイルの送信方法。
【請求項２】
前記方法を実行するコンピュータ装置に、前記ドキュメントをスキャニングするために使用されるスキャニング装置を接続し、前記スキャニング装置に対するインタフェースのアクティブ化に対応して、自動送信ユーティリティを起動することを特徴とする請求項１に記載の画像ファイルの送信方法。
【請求項３】
スキャニング装置に対する前記インタフェースが、前記スキャニング装置に設けられたプッシュボタンであることを特徴とする請求項２に記載の画像ファイルの送信方法。
【請求項４】
更に、前記格納された画像ファイルを削除する工程を含むことを特徴とする請求項１乃至３のいずれか１項に記載の画像ファイルの転送方法。
【請求項５】
前記予め設定されたプロファイルの前記転送プロトコルが、電子メール、ｆｔｐを含むことを特徴とする請求項１乃至４のいずれか１項に記載の画像ファイルの送信方法。
【請求項６】
前記予め設定されたプロファイルが、前記方法を実行するコンピュータ装置に格納されることを特徴とする請求項１乃至５のいずれか１項に記載の画像ファイルの送信方法。
【請求項７】
前記予め設定されたプロファイルがネットワーク上のサーバに格納され、各受信者がこのプロファイルを更新できることを特徴とする請求項１乃至５のいずれか１項に記載の画像ファイルの送信方法。
【請求項８】
前記スキャニング特性が、少なくともスキャニング解像度とカラー・モードとを含むことを特徴とする請求項１乃至７のいずれか１項に記載の画像ファイルの送信方法。
【請求項９】
ドキュメントをスキャニング装置によってスキャニングし、その画像ファイルを、受信者毎に予め設定されたプロファイルにアクセスする自動送信ユーティリティを使用することにより、指定された受信者に送信する画像ファイルの送信装置であって、
前記予め設定されたプロファイルが、前記受信者に前記画像ファイルを送信するための転送プロトコルと前記スキャニングのための画像スキャニング特性とを含み、
前記スキャニング装置に対するインタフェースと、
自動送信ユーティリティを起動する起動手段と、
前記自動送信ユーティリティにによる前記画像ファイルの送信先である前記受信者を特定するユーザ入力、を受け取る受取手段と、
特定された前記受信者に対応した前記プロフィルに基づいて、画像データの画像スキャニング特性と転送プロトコルとを決定する決定手段と、
決定された前記画像スキャニング特性に従って、ドキュメントをスキャニングする命令を、前記インタフェースを介して前記スキャニング装置に送信する送信手段と、
スキャニングした前記ドキュメントの画像データを、前記スキャニング装置から受信する受信手段と、
前記画像データを含む画像ファイルを格納する格納手段と、
決定された前記転送プロトコルを使用して、前記受信者に前記画像ファイルを送信する画像送信手段と、
を含むことを特徴とする画像ファイルの送信装置。
【請求項１０】
前記起動手段は、前記スキャニング装置に対するユーザ・インタフェースのアクティブ化に対応して、前記自動送信ユーティリティを起動することを特徴とする請求項９に記載の画像ファイルの送信装置。
【請求項１１】
前記スキャニング装置に対するユーザ・インタフェースが、前記スキャニング装置に設けられたプッシュボタンであることを特徴とする請求項１０に記載の画像ファイルの送信装置。
【請求項１２】
更に、前記格納手段により格納された前記画像ファイルを削除する削除手段を含むことを特徴とする請求項９乃至１１のいずれか１項に記載の画像ファイルの送信装置。
【請求項１３】
前記予め設定されたプロファイルの転送プロトコルが、電子メール、ｆｔｐを含むことを特徴とする請求項９乃至１２のいずれか１項に記載の画像ファイルの送信装置。
【請求項１４】
前記予め設定されたプロファイルを、前記送信装置が備えるメモリにおいて格納することを特徴とする請求項９乃至１３のいずれか１項に記載の画像ファイルの送信装置。
【請求項１５】
前記予め設定されたプロファイルをネットワーク上のサーバに格納し、各受信者が、前記予め設定されたプロファイルを更新できることを特徴とする請求項９乃至１３のいずれか１項に記載の画像ファイルの送信装置。
【請求項１６】
前記スキャニング特性は、少なくともスキャニング解像度とカラー・モードとを含むことを特徴とする請求項９乃至１５のいずれか１項に記載の画像ファイルの送信装置。
【請求項１７】
請求項１乃至８のいずれか１項に記載の画像ファイルの送信方法の各工程をコンピュータに実行させるコンピュータプログラムを格納した記録媒体。
【手続補正２】
【補正対象書類名】明細書
【補正対象項目名】００１３
【補正方法】変更
【補正の内容】
【００１３】
【課題を解決するための手段】
本発明によれば、ドキュメントをスキャニング装置によってスキャニングし、その画像ファイルを、受信者毎に予め設定されたプロファイルにアクセスする自動送信ユーティリティを使用することにより、指定された受信者に送信する、コンピュータ装置が実行する画像ファイルの送信方法であって、前記予め設定されたプロファイルが、前記受信者に前記画像ファイルを送信するための転送プロトコルと前記スキャニングのための画像スキャニング特性とを含み、前記自動送信ユーティリティを起動する工程と、前記自動送信ユーティリティによる前記画像ファイルの送信先である前記受信者を特定するユーザ入力、を受け取る工程と、特定された前記受信者に対応した前記プロフィルに基づいて、画像データの画像スキャニング特性と転送プロトコルとを決定する工程と、決定された前記画像スキャニング特性に従って、ドキュメントをスキャニング装置によってスキャニングする工程と、前記スキャニングしたドキュメントの画像データを含む画像ファイルを格納するステップと、決定された前記転送プロトコルを使用して、前記受信者に前記格納された画像ファイルを送信する工程と、を含む画像ファイルの送信方法が提供される。
また、本発明のよれば、ドキュメントをスキャニング装置によってスキャニングし、その画像ファイルを、受信者毎に予め設定されたプロファイルにアクセスする自動送信ユーティリティを使用することにより、指定された受信者に送信する画像ファイルの送信装置であって、前記予め設定されたプロファイルが、前記受信者に前記画像ファイルを送信するための転送プロトコルと前記スキャニングのための画像スキャニング特性とを含み、前記スキャニング装置に対するインタフェースと、自動送信ユーティリティを起動する起動手段と、前記自動送信ユーティリティにによる前記画像ファイルの送信先である前記受信者を特定するユーザ入力、を受け取る受取手段と、特定された前記受信者に対応した前記プロフィルに基づいて、画像データの画像スキャニング特性と転送プロトコルとを決定する決定手段と、決定された前記画像スキャニング特性に従って、ドキュメントをスキャニングする命令を、前記インタフェースを介して前記スキャニング装置に送信する送信手段と、スキャニングした前記ドキュメントの画像データを、前記スキャニング装置から受信する受信手段と、前記画像データを含む画像ファイルを格納する格納手段と、決定された前記転送プロトコルを使用して、前記受信者に前記画像ファイルを送信する画像送信手段と、を含むことを特徴とする画像ファイルの送信装置が提供される。
また、本発明によれば、上記画像ファイルの送信方法の各工程をコンピュータに実行させるコンピュータプログラムを格納した記録媒体が提供される。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明においては、例えば、第１の受信者のプロファイルでは２４ビット・カラー・モード、３００ｄｐｉのスキャニングを設定し、その後に、電子メールを使用する転送プロトコルを設定する一方で、第２の受信者のプロファイルではファックス（１００ｘ２００）の解像度のスキャニングを設定し、その後にｆｔｐを使用する転送プロトコルを設定するといったことが可能である。
【手続補正５】
【補正対象書類名】明細書
【補正対象項目名】００１６
【補正方法】変更
【補正の内容】
【００１６】
ユーザはドキュメントをスキャニングし、単に自動送信ユーティリティを起動し、受信者を特定するだけで、得られた画像ファイルを送信することができる。自動送信ユーティリティは、プロファイルに基づいて画像ファイルのスキャニングおよび送信の方法を自動的に決定するため、ユーザ側で実行しなければならない操作が簡素化される。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２６
【補正方法】変更
【補正の内容】
【００２６】
予め設定されたプロファイルは、本発明を実現するコンピュータ装置上にローカルに格納するか、またはネットワーク上のサーバに格納することができる。プロファイルをネットワーク上のサーバに格納した場合、プロファイルは、受信者によって更新できることが好ましい。したがって、受信者は自分のハードウェアおよびソフトウェアの変更に合わせて、スキャニング特性と転送プロトコルを変更することができる。